(57)【要約】【課題】スプレー缶に充填される薬剤とガスとを容易に区分して充填するスプレー缶充填装置。【解決手段】スプレー缶を固定しスプレー缶の注入口に注入ノズルを結合するロック装置と；注入ノズルに薬剤を供給するシリンダと；シリンダに貯蔵タンクから薬剤を供給する吸入パイプと；注入ノズル及び、シリンダへガスを供給するガス圧力調整器と；ガス圧力調整器からシリンダへのガス供給を開閉する充填スイッチと；ガス圧力調整器から注入ノズルへのガス供給を開閉する開閉スイッチと；開閉スイッチから注入ノズルに供給されるガスの圧力を調節する圧縮圧力調節器と；圧縮圧力調節器から供給されるガスの圧力を示す圧縮ガスゲージと；シリンダと吸入パイプとの間、シリンダと注入ノズルとの間、圧縮圧力調節器と注入ノズルとの間に設置され、それぞれ、開閉制御されるバルブを含んでなるスプレー缶充填装置。【選択図】図４
2009073565.tif 000002
【特許請求の範囲】
【請求項１】
スプレー缶を固定し当該スプレー缶の注入口に注入ノズルを結合するロック装置と；
前記注入ノズルに薬剤を供給するシリンダと；
前記シリンダに貯蔵タンクから薬剤を供給する吸入パイプと；
前記注入ノズル及び、前記シリンダへガスを供給するガス圧力調整器と；
前記ガス圧力調整器から前記シリンダへのガス供給を開閉する充填スイッチと；
前記ガス圧力調整器から前記注入ノズルへのガス供給を開閉する開閉スイッチと；
前記開閉スイッチから前記注入ノズルに供給されるガスの圧力を調節する圧縮圧力調節器と；
前記圧縮圧力調節器から供給されるガスの圧力を示す圧縮ガスゲージと；
前記シリンダと前記吸入パイプとの間、前記シリンダと前記注入ノズルとの間、前記圧縮圧力調節器と前記注入ノズルとの間に設置され、それぞれ、開閉制御されるバルブ
を含んでなることを特徴とするスプレー缶充填装置。
【請求項２】
前記ロック装置は、
筺体の上面の一方に設置したブラケットと；
前記ブラケットに対して回動可能に設置されているレバーと；
前記レバーに連結されて、前記レバーが前記ブラケットに対して回動するのに連れて前記ブラケットに対して回動する連結片と；
前記連結片に後端が接続されていて、前記ブラケットに対する前記連結片の回動に連れて、前記筺体に対して前記ブラケットが配備されている筺体の一方の側と、筺体の他方の側との間をスライドする軸と；
前記軸の前端に配備されているプッシャーと；
前記筺体の他方の側に配備されていて、前記スプレー缶の注入口に結合される注入ノズルと；
前記ブラケットと前記注入ノズルとの間に配備されていて、スプレー缶の離脱を防止するガイド板と
を含んでなることを特徴とする請求項１記載のスプレー缶充填装置。
【請求項３】
前記シリンダは、薬剤が充填される量を表示することができるゲージをさらに備えたことを特徴とする請求項１又は２記載のスプレー缶充填装置。
【発明の詳細な説明】
【技術分野】
【０００１】
この発明は、薬剤とガス（例えば、圧縮空気などの空気）をスプレー缶に注入するスプレー缶充填装置に関するものであって、より詳細には、薬剤が消耗したスプレー式の缶や容器に対して、薬剤とガス（例えば、圧縮空気などの空気）を容易に区分して充填し、薬剤が消耗したスプレー式の缶や容器を再使用することができるようにしたスプレー缶充填装置に関する。
【背景技術】
【０００２】
一般的にスプレー缶は、内部にガス等の圧縮気体と薬剤が圧縮され液化状態で充填された容器であって、ノズルを通してガスと薬剤が噴射され、使用上の便利性から車両用クリーナー、ブタンガス、殺虫剤、芳香剤、ペイント、医薬品、等、産業全般にわたって普遍的に使用されている。
【０００３】
しかしこうしたスプレー缶のほとんどは使い捨て用として製作販売されているため再充填が不可能であり、これによって資源の浪費及び環境汚染を引き起こす等、問題が深刻化しているのが実情である。
【０００４】
例えば、車両用クリーナーや防錆剤等に使用されるスプレー缶の場合、使用済みの缶でも約１０％の薬剤が残留しており、このように残留した薬剤や廃棄される缶は資源の浪費だけでなく、環境汚染の主な原因ともなる。また消費者は新しい製品を購入しなければならないため費用の負担を強いられる等、様々な問題が発生している。
【０００５】
特に車両用として使用されるスプレー缶は、一般的なブタンガスや殺虫剤の缶とは異なり、車両整備所や車両部品専門店のように販売経路が限定されている。従って、車両整備所や専門販売店を通して繰り返し使用するという概念でスプレー缶を再充填すれば、資源の浪費及び消費者の負担の軽減を図ることができる。
【０００６】
スプレー缶を充填する装置に関しては種々の提案がされているが（例えば、特許文献１）、スプレー缶に充てんされる薬剤とガス（例えば、圧縮空気などの空気）とを容易に区分して充填するスプレー缶充填装置に関してはまだまだ改善の余地があった。
【特許文献１】特開２００４−３５００２号公報
【発明の開示】
【発明が解決しようとする課題】
【０００７】
本発明は、スプレー缶に充填される薬剤とガス（例えば、圧縮空気などの空気）とを容易に区分して充填するスプレー缶充填装置を提案することを目的にしている。
【０００８】
また、このようなスプレー缶充填装置であって、使用者が容易にスプレー缶を充填でき、充填作業を簡単に行うことのできるスプレー缶充填装置を提供することを目的にしている。
【０００９】
そして、これらによって、スプレー缶を再充填することにより、資源の浪費を防止し、消費者の費用の負担を軽減することができるスプレー缶充填装置を提供することを目的にしている。
【課題を解決するための手段】
【００１０】
上記の目的のもとになされたこの発明は、次の通りのものである。
【００１１】
（請求項１）
スプレー缶を固定し当該スプレー缶の注入口に注入ノズルを結合するロック装置と；
前記注入ノズルに薬剤を供給するシリンダと；
前記シリンダに貯蔵タンクから薬剤を供給する吸入パイプと；
前記注入ノズル及び、前記シリンダへガスを供給するガス圧力調整器と；
前記ガス圧力調整器から前記シリンダへのガス供給を開閉する充填スイッチと；
前記ガス圧力調整器から前記注入ノズルへのガス供給を開閉する開閉スイッチと；
前記開閉スイッチから前記注入ノズルに供給されるガスの圧力を調節する圧縮圧力調節器と；
前記圧縮圧力調節器から供給されるガスの圧力を示す圧縮ガスゲージと；
前記シリンダと前記吸入パイプとの間、前記シリンダと前記注入ノズルとの間、前記圧縮圧力調節器と前記注入ノズルとの間に設置され、それぞれ、開閉制御されるバルブ
を含んでなることを特徴とするスプレー缶充填装置。
【００１２】
（請求項２）
前記ロック装置は、
筺体の上面の一方に設置したブラケットと；
前記ブラケットに対して回動可能に設置されているレバーと；
前記レバーに連結されて、前記レバーが前記ブラケットに対して回動するのに連れて前記ブラケットに対して回動する連結片と；
前記連結片に後端が接続されていて、前記ブラケットに対する前記連結片の回動に連れて、前記筺体に対して前記ブラケットが配備されている筺体の一方の側と、筺体の他方の側との間をスライドする軸と；
前記軸の前端に配備されているプッシャーと；
前記筺体の他方の側に配備されていて、前記スプレー缶の注入口に結合される注入ノズルと；
前記ブラケットと前記注入ノズルとの間に配備されていて、スプレー缶の離脱を防止するガイド板と
を含んでなることを特徴とする請求項１記載のスプレー缶充填装置。
【００１３】
（請求項３）
前記シリンダは、薬剤が充填される量を表示することができるゲージをさらに備えたことを特徴とする請求項１又は２記載のスプレー缶充填装置。
【発明の効果】
【００１４】
この発明によれば、スプレー缶に充てんされる薬剤とガス（例えば、圧縮空気などの空気）とを容易に区分してスプレー缶に充填できるスプレー缶充填装置を提供できる。
【００１５】
また、スプレー缶に充填される薬剤とガス（例えば、圧縮空気などの空気）とを容易に区分してスプレー缶に充填できるスプレー缶充填装置であって、使用者が容易にスプレー缶を充填でき、充填作業を簡単に行うことのできるスプレー缶充填装置を提供することができる。
【００１６】
そして、これらによって、スプレー缶を再充填することにより、資源の浪費を防止し、消費者の費用の負担を軽減することができるスプレー缶充填装置を提供することができる。
【００１７】
すなわち、本発明によれば、スプレー缶の廃棄に伴う資源の損失と環境汚染及び費用を大きく削減する効果があり、また多様な薬剤の充填が可能なため、様々な製品のスプレー缶に適用できるという効果がある。
【００１８】
さらに本発明のスプレー缶充填装置によれば、薬剤の量とガス（例えば、圧縮空気などの空気）の圧力を調節することができるため、使用者は簡単に操作することができ、スプレー缶の種類に応じて最適な薬剤とガス（例えば、圧縮空気などの空気）の充填が可能である。
【発明を実施するための最良の形態】
【００１９】
以下、この発明の好適な実施の形態を添付の図を参照して説明する。
【００２０】
以下、添付した図面を参考にして本発明の実施例に対する詳細な構成を説明すると、次のとおりである。
【００２１】
図１は本発明のスプレー缶充填装置の一例の外観構成を示す斜視図である。図４は本発明のスプレー缶充填装置のメカニズムの一例を示す概略図である。
【００２２】
本発明のスプレー缶充填装置には、図示するように、ロック装置２００、ガス圧力調整器３００（図４）、充填スイッチ４００（図４）、シリンダ５００（図４）、吸入パイプ６００（図４）、開閉スイッチ７００（図１、図４）、圧縮圧力調節器８００（図４）、圧縮ガスゲージ９００（図１、図４）、チェックバルブであるバルブＶ１、Ｖ２、Ｖ３（図４）を備えている。
【００２３】
ロック装置２００は充填しようとするスプレー缶Ｃを固定する装置である。図示の実施形態では、ロック装置２００は次のように構成されている。
【００２４】
筺体１００の上面の一方にブラケット２１０が設置されている。ブラケット２１０にはレバー２２０が回動可能に設置されている（図２、図３）。また、レバー２２０に連結されていて、レバー２２０がブラケット２１０に対して回動するのに連れてブラケット２１０に対して回動する連結片２３０が配備されている（図２、図３）。
【００２５】
連結片２３０にはプッシャー２５０を前端に有する軸２４０の後端が接続されている。軸２４０は、前述したブラケット２１０に対する連結片２３０の回動動作に応じて、筺体１００に対して、前記筺体１００にブラケット２１０が設置されている一方の側と、他方の側との間をスライド可能になっている。こうして、レバー２２０の回動に応じてプッシャー２５０が前後方向（図２、図３中、左右方向）に移動する。
【００２６】
筺体１００の上面の他方にはスプレー缶Ｃの注入口に結合する注入ノズル２７０が設置されている。注入ノズル２７０をスプレー缶Ｃの注入口に結合し、注入ノズル２７０を介してスプレー缶Ｃ内にガス（例えば、圧縮空気などの空気）、あるいは薬剤を注入できるようになっている。
【００２７】
ブラケット２１０と注入ノズル２７０との間にはガイド板２６０が設置されている（図１）。これによって、スプレー缶Ｃの離脱を防止できるようにしている。
【００２８】
ガス圧力調整器３００は、レギュレーターとして圧力を調整する機能を持っているものであり、図４のように注入ノズル２７０及び、シリンダ５００内に供給するガス（例えば、圧縮空気のような空気）を供給するものである。
【００２９】
本発明では筺体１００の後面にガス圧力調整器３００を設置している。このガス圧力調整器３００は、前述したように、レギュレーターの機能により、注入ノズル２７０及び、シリンダ５００内に供給するガス（例えば、圧縮空気のような空気）の圧力を調節する機能を備えている。
【００３０】
充填スイッチ４００はガス圧力調整器３００からシリンダ５００内に供給されるガス（例えば、圧縮空気のような空気）の供給動作を開閉するためのものである。図示の実施形態では、筺体１００の前面に充填スイッチ４００を設置し、上述したガス圧力調整器３００との連結を通して、シリンダ５００内へのガス（例えば、圧縮空気のような空気）の供給が行われ、また遮断できるようにした。
【００３１】
シリンダ５００は図４図示のように充填スイッチ４００を開にすることによりガス圧力調整器３００から供給されるガス（例えば、圧縮空気のような空気）を用いて薬剤を注入ノズル２７０に供給するためのものである。図示の実施形態では、筺体１００の内部にシリンダ５００を設置して充填スイッチ４００と連結し、これを通して薬剤の供給が行われるようにした。
【００３２】
シリンダ５００は、図４図示のように、一方にゲージ５４０を備えており、ゲージ５４０によって、ロッド５１０の移送量に応じて薬剤が充填される量を表示できるようにした。
【００３３】
吸入パイプ６００は充填しようとする薬剤を吸入するためのものである。図示の実施形態では、吸入パイプ６００とシリンダ５００を連結して貯蔵タンクＴの薬剤がシリンダ５００に吸入されるようにした。
【００３４】
開閉スイッチ７００は、ガス圧力調整器３００から供給されるガス（例えば、圧縮空気のような空気）のスプレー缶Ｃへの供給を制御するものである。図示の実施形態では、開閉スイッチ７００を上述したガス圧力調整器３００と連結してスプレー缶Ｃへのガス（例えば、圧縮空気のような空気）の供給を制御できるようにした。
【００３５】
圧縮圧力調節器８００は、上述した開閉スイッチ７００から供給されるガス（例えば、圧縮空気のような空気）の圧力を調節するためのものである。本発明では上述した開閉スイッチ７００と連結してガス（例えば、圧縮空気のような空気）の圧力を調節できるようにした。
【００３６】
圧縮ガスゲージ９００は、圧縮圧力調節器８００からスプレー缶Ｃへ供給されるガス（例えば、圧縮空気のような空気）の圧力を示すためのものである。図示の実施形態では、圧縮圧力調節器８００と注入ノズル２７０の間に圧縮ガスゲージ９００を設置し、スプレー缶Ｃへ供給されるガス（例えば、圧縮空気のような空気）の圧力を示すことができるようにした。
【００３７】
チェックバルブＶ１、Ｖ２、Ｖ３は、ガス（例えば、圧縮空気のような空気）と薬剤の流れを制御するためのものである。
【００３８】
図示の実施形態では、チェックバルブＶ１をシリンダ５００と吸入パイプ６００との間に設置して薬剤の流れを制御できるようにした。
【００３９】
また、チェックバルブＶ２をシリンダ５００と注入ノズル２７０との間に設置して薬剤の流れ及び、ガス（例えば、圧縮空気のような空気）の流れを制御できるようにした。
【００４０】
更に、チェックバルブＶ３を圧縮圧力調節器８００と注入ノズル２７０との間に設置し、ガス（例えば、圧縮空気のような空気）の流れ及び、薬剤の流れを制御できるようにした。
【００４１】
このように構成された本発明のスプレー缶充填装置の作用及び効果を、薬剤充填過程とガス注入過程に区分して詳細に説明する。
【００４２】
＜薬剤充填過程＞
図２図示の状態においてレバー２２０を回動させ、プッシャー２５０をスプレー缶Ｃ側（図２中、左側）に向けて移動させるとスプレー缶Ｃは加圧され、これにより注入ノズル２７０がスプレー缶Ｃの注入口に結合される。すなわち、スプレー缶Ｃの入口は注入ノズル２７０内に深く密着した状態で挿入され、スプレー缶Ｃはしっかりと固定された状態が保たれる（図３、図１）。
【００４３】
チェックバルブＶ１を開、チェックバルブＶ２、Ｖ３を閉にしておき、この状態で、図４のように使用者が吸入パイプ６００を薬剤貯蔵タンクＴに挿入する。スプリング５３０の復元力によりシリンダ５００のピストン５２０が後進する（図４中、右側から左側に向けて移動する）とシリンダ５００内部は真空状態となるため、貯蔵タンクＴ内の薬剤はチェックバルブＶ１を介してシリンダ５００内部に吸入される。
【００４４】
このときシリンダ５００のロッド５１０側に設置されたゲージ５４０は、ロッド５１０の移動量を感知して薬剤の注入量を表示する役割を行う。
【００４５】
この後、チェックバルブＶ１を閉、チェックバルブＶ２を開、チェックバルブＶ３を閉にしておき、充填スイッチ４００を開放する。
【００４６】
これにより、ガス圧力調整器３００から供給されるガス（例えば、圧縮空気のような空気）はシリンダ５００内部に流入し、シリンダ５００のピストン５２０は圧縮空気によって拡張され、前進する（図４中、左側から右側に向けて移動する）。こうして、前記の工程で、シリンダ５００内部に吸入されていた薬剤が、チェックバルブＶ２、注入ノズル２７０を介してスプレー缶Ｃ内部に供給される。
【００４７】
この際、閉鎖されているチェックバルブＶ１、Ｖ３は、シリンダ５００からスプレー缶Ｃ内部に供給される薬剤が貯蔵タンクＴや圧縮圧力調節器８００に逆流するのを防止する役割をする。
【００４８】
シリンダ５００からスプレー缶Ｃ内部への薬剤の注入が完了すると、充填スイッチ４００が閉にされ、シリンダ５００内のガス（例えば、圧縮空気のような空気）は外部に排出される。この際、前記と同様に、チェックバルブＶ１が開、チェックバルブＶ２が閉に戻され、シリンダ５００のピストン５２０は、スプリング５３０の弾性復元力によって後進して（図４中、右側から左側に向けて移動する）もとの状態に戻る。これにより、前記と同様に、シリンダ５００内部には貯蔵タンクＴから薬剤が再び吸入される。
【００４９】
＜ガス注入過程＞
上述したように、スプレー缶Ｃへの薬剤の充填が完了した状態で、チェックバルブＶ３を開、チェックバルブＶ２を閉にする。なお、この際、チェックバルブＶ１は開にし、これから説明するスプレー缶Ｃへのガス（例えば、圧縮空気のような空気）注入に並行して、前述したシリンダ５００内部への貯蔵タンクＴからの薬剤の再吸入が行われるようにできる。
【００５０】
開閉スイッチ７００を開放すると、ガス圧力調整器３００から供給されるガス（例えば、圧縮空気のような空気）は圧縮圧力調節器８００とチェックバルブＶ３及び注入ノズル２７０を介してスプレー缶Ｃに注入される。
【００５１】
このとき供給されるガス（例えば、圧縮空気のような空気）の圧力は、圧縮圧力調節器８００により調節することができる。図示の実施形態では、スプレー缶Ｃに充填されるガス（例えば、圧縮空気のような空気）の圧力は圧縮空気ゲージ９００により視覚的に確認できる。またチェックバルブＶ２は、ガス（例えば、圧縮空気のような空気）がシリンダ５００や貯蔵タンクＴ側に流入することを防止する役割をする。
【００５２】
スプレー缶Ｃ内へのガス（例えば、圧縮空気のような空気）充填が完了したならば、開閉スイッチ７００を閉鎖する。
【００５３】
ここで、レバー２２０を図３図示の状態から図２図示の状態に回転させ、プッシャー２５０を図３、図２中、左側から右側に移動させ、注入ノズル２７０とスプレー缶Ｃの注入口との間の結合を解除し、充填が完了したスプレー缶Ｃを取り外し、次に重点を行う新しいスプレー缶Ｃを図２図示の状態にセットする。そして、前述したようにして、図３図示の状態に新しいスプレー缶Ｃをセットし、次の薬剤充填工程に入る。
【００５４】
以上に説明した薬剤充填過程、ガス注入過程において、充填スイッチ４００、開閉スイッチ７００、バルブＶ１、Ｖ２、Ｖ３の前述した開閉動作はマニュアルで行うこともできるし、シーケンス制御にして自動制御することもできる。たとえば、充填スイッチ４００、開閉スイッチ７００を手動で切り替えるのに応じて、前述したようにバルブＶ１、Ｖ２、Ｖ３の開閉切り替えが自動的に行われるようにすることができるし、充填スイッチ４００、開閉スイッチ７００の手動で切り替えも、これに応じた前述のバルブＶ１、Ｖ２、Ｖ３の開閉切り替えも自動的に行われるようにすることができる。また、コンピュータ、等を用いて、充填スイッチ４００、開閉スイッチ７００、バルブＶ１、Ｖ２、Ｖ３の前述した開閉動作を自動制御することもできる。
【００５５】
以上に説明した薬剤充填過程とガス注入過程との切り替えを行うことにより、本発明のスプレー缶充填装置は、薬剤が消耗したスプレー缶Ｃに薬剤とガス（例えば、圧縮空気のような空気）とをそれぞれ容易に区別して、かつ便利に充填することができる。そこで、スプレー缶Ｃの廃棄による資源の損失及び環境汚染並びに費用を大きく削減することができる。
【００５６】
特に、本発明のスプレー缶充填装置は、薬剤の種類に関係なく吸入パイプ６００を様々な薬剤貯蔵タンクＴに挿入することにより、必要な薬剤をスプレー缶Ｃに充填することができる。また、シリンダ５００のゲージ５４０によりその充填される量を確認及び調節することができる。従って、多様な製品のスプレー缶Ｃに適用が可能である。
【００５７】
また、本発明のスプレー缶充填装置は、開閉スイッチ７００によりガス（例えば、圧縮空気のような空気）の注入量を調節することができ、圧縮圧力調節器８００によりスプレー缶Ｃ内に注入されるガス（例えば、圧縮空気のような空気）の圧力も調節することができる。従って、スプレー缶Ｃの製品の種類に応じて最適な充填圧力にて、必要な量のガス（例えば、圧縮空気のような空気）をスプレー缶Ｃに充填することが可能である。
【００５８】
以上、添付図面を参照して本発明の好ましい実施形態を説明したが、本発明はかかる実施形態に限定されることなく、特許請求の範囲の記載から把握される技術的範囲において種々の形態に変更可能である。
【００５９】
一例として本発明では薬剤の噴射のため圧縮空気を使用したが、圧縮空気以外に窒素等の他の気体を使用することも可能である。
【図面の簡単な説明】
【００６０】
【図１】本発明のスプレー缶充填装置の一例の外観構成を示す斜視図。
【図２】本発明のスプレー缶充填装置にスプレー缶を装着する状態の一例を表す一部を省略した正面図。
【図３】図２図示の状態から充填可能な状態にスプレー缶がセットされた状態の一例を表す一部を省略した正面図。
【図４】本発明のスプレー缶充填装置のメカニズムの一例を示す概略図。
【符号の説明】
【００６１】
１００  筺体
２００  ロック装置
２１０  ブラケット
２２０  レバー
２３０  連結片
２４０  軸
２５０  プッシャー
２６０  ガイド板
２７０  注入ノズル
３００  ガス圧力調整器
４００  充填スイッチ
５００  シリンダ
５１０  ロッド
５２０  ピストン
５３０  スプリング
５４０  ゲージ
６００  吸入パイプ
７００  開閉スイッチ
８００  圧縮圧力調節器
９００  圧縮ガスゲージ
Ｃ  スプレー缶
Ｖ１、Ｖ２、Ｖ３  バルブ
Ｔ  貯蔵タンク
【図１】
2009073565.tif 000003
【図２】
2009073565.tif 000004
【図３】
2009073565.tif 000005
【図４】
2009073565.tif 000006